(57)【要約】【課題】バッテリがバッテリ収容室に収容されている作業機において、バッテリが高温となることを抑制することが可能な技術を提供する。【解決手段】本明細書が開示する作業機は、バッテリと、前記バッテリから供給される電力によって動作するモータと、前記モータによって回転するファンと、前記バッテリ、前記モータおよび前記ファンを収容するハウジングを備えていてもよい。前記ハウジングは、前記バッテリを収容するバッテリ収容室と、前記モータを収容するモータ収容室を備えていてもよい。前記ファンの回転による冷却風は、前記バッテリ収容室を流れてもよい。【選択図】図７
2020142169.tif 000002
【特許請求の範囲】
【請求項１】
バッテリと、
前記バッテリから供給される電力によって動作するモータと、
前記モータによって回転するファンと、
前記バッテリ、前記モータおよび前記ファンを収容するハウジングを備える作業機であって、
前記ハウジングが、前記バッテリを収容するバッテリ収容室と、前記モータを収容するモータ収容室を備えており、
前記ファンの回転による冷却風が、前記バッテリ収容室を流れる、作業機。
【請求項２】
前記冷却風が、前記モータ収容室にも流れる、請求項１の作業機。
【請求項３】
ユーザによって持ち運ぶことが可能である、請求項１または２の作業機。
【請求項４】
前記バッテリ収容室が、水の流入を防止する防水構造を有する、請求項１から３の何れか一項の作業機。
【請求項５】
入水口と、
出水口と、
前記モータによって駆動され、前記入水口に供給される水を加圧して前記出水口から送り出すポンプをさらに備えている、請求項４の作業機。
【発明の詳細な説明】
【技術分野】
【０００１】
本明細書で開示する技術は、作業機に関する。
【背景技術】
【０００２】
特許文献１には、バッテリと、前記バッテリから供給される電力によって動作するモータと、前記モータによって回転するファンと、前記バッテリ、前記モータおよび前記ファンを収容するハウジングを備える作業機が開示されている。前記ハウジングは、前記バッテリを収容するバッテリ収容室と、前記モータを収容するモータ収容室を備えている。
【先行技術文献】
【特許文献】
【０００３】
【特許文献１】欧州特許出願公開第３２１６５６７号明細書
【発明の概要】
【発明が解決しようとする課題】
【０００４】
バッテリがバッテリ収容室に収容されている作業機では、バッテリ自身の発熱によってバッテリが高温となりやすい。バッテリが過度に高温となると、バッテリの動作不良を引き起こすおそれがある。本明細書では、バッテリがバッテリ収容室に収容されている作業機において、バッテリが高温となることを抑制することが可能な技術を提供する。
【課題を解決するための手段】
【０００５】
本明細書が開示する作業機は、バッテリと、前記バッテリから供給される電力によって動作するモータと、前記モータによって回転するファンと、前記バッテリ、前記モータおよび前記ファンを収容するハウジングを備えていてもよい。前記ハウジングは、前記バッテリを収容するバッテリ収容室と、前記モータを収容するモータ収容室を備えていてもよい。前記ファンの回転による冷却風は、前記バッテリ収容室を流れてもよい。
【０００６】
上記の構成によれば、ファンの回転による冷却風を利用して、バッテリ収容部に収容されたバッテリを冷却することができる。バッテリが高温となることを抑制することができる。
【図面の簡単な説明】
【０００７】
【図１】実施例の高圧洗浄機２の使用時の状態を模式的に示す図である。
【図２】実施例の高圧洗浄機２を前方右方上方から見た斜視図である。
【図３】実施例の高圧洗浄機２を上方から見た平面図である。
【図４】実施例の高圧洗浄機２を左方から見た側面図である。
【図５】実施例の高圧洗浄機２の、バッテリボックスカバー２４とアクセサリボックス２６を取り外した状態を前方右方上方から見た斜視図である。
【図６】実施例の高圧洗浄機２の、バッテリボックスカバー２４を取り外した状態を上方から見た平面図である。
【図７】実施例の高圧洗浄機２の、バッテリボックスカバー２４と左側ハウジング２０を取り外した状態を左方から見た側面図である。
【図８】実施例の高圧洗浄機２のスポンジ４６の斜視図である。
【図９】実施例の高圧洗浄機２のモータポンプユニット６２を前方左方上方から見た斜視図である。
【図１０】実施例の高圧洗浄機２のモータポンプユニット６２を後方右方上方から見た斜視図である。
【図１１】実施例の高圧洗浄機２のモータポンプユニット６２を右方から見た断面図である。
【図１２】実施例の高圧洗浄機２のポンプ機構６０を上方から見た断面図である。
【発明を実施するための形態】
【０００８】
１つまたはそれ以上の実施形態において、作業機は、バッテリと、前記バッテリから供給される電力によって動作するモータと、前記モータによって回転するファンと、前記バッテリ、前記モータおよび前記ファンを収容するハウジングを備えていてもよい。前記ハウジングは、前記バッテリを収容するバッテリ収容室と、前記モータを収容するモータ収容室を備えていてもよい。前記ファンの回転による冷却風は、前記バッテリ収容室を流れてもよい。
【０００９】
上記の構成によれば、ファンの回転による冷却風を利用して、バッテリ収容部に収容されたバッテリを冷却することができる。バッテリが高温となることを抑制することができる。
【００１０】
１つまたはそれ以上の実施形態において、前記冷却風は、前記モータ収容室にも流れてもよい。
【００１１】
上記の構成によれば、ファンの回転による冷却風を利用して、バッテリ収容室に収容されているバッテリを冷却するとともに、モータ収容室に収容されているモータを冷却することができる。
【００１２】
１つまたはそれ以上の実施形態において、前記作業機は、ユーザによって持ち運ぶことが可能であってもよい。
【００１３】
上記の構成によれば、ユーザによる持ち運びが可能な作業機において、ファンの回転による冷却風を利用して、バッテリ収容室に収容されたバッテリを冷却することができる。
【００１４】
１つまたはそれ以上の実施形態において、前記バッテリ収容室は、水の流入を防止する防水構造を有していてもよい。
【００１５】
上記の構成によれば、バッテリが水に濡れてしまうことを防止しつつ、冷却風によってバッテリを冷却することができる。
【００１６】
１つまたはそれ以上の実施形態において、前記作業機は、入水口と、出水口と、前記モータによって駆動され、前記入水口に供給される水を加圧して前記出水口から送り出すポンプをさらに備えていてもよい。
【００１７】
上記の構成によれば、いわゆる高圧洗浄機として使用可能な作業機において、バッテリが水に濡れてしまうことを防止しつつ、冷却風によってバッテリを冷却することができる。
【００１８】
（実施例）
実施例の高圧洗浄機２について図面を参照しながら説明する。図１に示すように、高圧洗浄機２には、水道などの給水源１０から耐圧ホース１２を介して水などの洗浄水が供給される。高圧洗浄機２は、洗浄水を加圧して、高圧ホース１４を介してトリガガン１６に高圧の洗浄水を供給する。トリガガン１６には、ノズル１８が取り付けられている。トリガガン１６は、ユーザの操作に応じて、ノズル１８へ洗浄水を供給する状態と、ノズル１８への洗浄水の供給を遮断する状態の間で切り換わる。ノズル１８は、トリガガン１６から供給される洗浄水を先端から噴射する。
【００１９】
図２−図４に示すように、高圧洗浄機２は、左側ハウジング２０と、右側ハウジング２２と、バッテリボックスカバー２４と、アクセサリボックス２６を備えている。なお、以下では左側ハウジング２０と、右側ハウジング２２と、バッテリボックスカバー２４と、アクセサリボックス２６を総称して、単にハウジング２７ともいう。図５に示すように、左側ハウジング２０と右側ハウジング２２によって、本体ハウジング２８と、バッテリボックス３０と、トップハンドル３２が形成されている。左側ハウジング２０は、本体ハウジング２８と、バッテリボックス３０と、トップハンドル３２の左半面の外形形状を規定しており、右側ハウジング２２は、本体ハウジング２８と、バッテリボックス３０と、トップハンドル３２の右半面の外形形状を規定している。
【００２０】
本体ハウジング２８は、上下方向が左右方向よりも大きく、前後方向が上下方向よりも大きい略直方体形状を有している。本体ハウジング２８の右面の前方下方には、右方向に突出する入水継手３４が設けられている。入水継手３４は、本体ハウジング２８の内部から外部に突出しており、耐圧ホース１２（図１参照）を着脱可能である。入水継手３４は、洗浄水が流入する入水口３４ａを備えている。本体ハウジング２８の前面の下方には、前方向に突出する出水継手３６が設けられている。出水継手３６は、本体ハウジング２８の内部から外部に突出しており、高圧ホース１４（図１参照）を着脱可能である。出水継手３６は、洗浄水が流出する出水口３６ａを備えている。
【００２１】
本体ハウジング２８の前方上方に、バッテリボックス３０が設けられている。バッテリボックス３０は、前方上方に向けて開口した箱型形状を有している。バッテリボックス３０は、左側の外面は本体ハウジング２８の左側の外面と略面一となっており、右側の外面は本体ハウジング２８の右側の外面よりも右側に突出している。図６、図７に示すように、バッテリボックス３０の内部には、バッテリ３８ａを着脱可能なバッテリ取付部４０ａと、バッテリ３８ｂを着脱可能なバッテリ取付部４０ｂが設けられている。図６に示すように、バッテリ３８ａ、３８ｂをバッテリ取付部４０ａ、４０ｂに取り付けた状態では、バッテリ３８ａ、３８ｂは左右方向に並んで配置されている。バッテリ３８ａ、３８ｂは、いずれも、リチウムイオンバッテリ等の二次電池である。バッテリ３８ａ、３８ｂの定格電圧は、例えば１８Ｖである。バッテリ３８ａ、３８ｂは、バッテリ取付部４０ａ、４０ｂに対して所定のスライド方向にスライドさせることで、バッテリ取付部４０ａ、４０ｂに着脱可能である。図７に示すように、バッテリ３８ａ、３８ｂのスライド方向は、本体ハウジング２８の上下方向に対して、上方がやや前方に傾くように傾斜している。本体ハウジング２８を左方（または右方）から平面視した時に、バッテリ取付部４０ａに取り付けた状態のバッテリ３８ａの位置および姿勢は、バッテリ取付部４０ｂに取り付けた状態のバッテリ３８ｂの位置および姿勢と、略一致している。バッテリ３８ａ、３８ｂをバッテリ取付部４０ａ、４０ｂに取り付けた状態では、バッテリ３８ａ、３８ｂは電気的に直列に接続されて、バッテリ３８ａ、３８ｂの定格電圧（例えば１８Ｖ）の合計電圧（例えば３６Ｖ）の電力が高圧洗浄機２に供給される。以下では、バッテリボックス３０の内部を、バッテリ収容室３１ともいう。
【００２２】
図２−図４に示すように、バッテリボックス３０の上部には、バッテリボックスカバー２４が設けられている。バッテリボックスカバー２４は、回動軸３０ａ（図５、図６参照）周りに回動可能に、バッテリボックス３０に連結されている。回動軸３０ａは、バッテリボックス３０の後方上方に配置されており、左右方向に長手方向を有する。バッテリボックスカバー２４は、図示しない捩じりバネによって、閉じる方向に付勢されている。バッテリボックスカバー２４の先端には、ラッチ４２が設けられている。図５、図６に示すように、バッテリボックス３０の前方上方には、ラッチ受け３０ｂが形成されている。バッテリボックスカバー２４を閉じた状態で、ラッチ４２を操作してラッチ受け３０ｂに係合させることで、バッテリボックスカバー２４は閉じた状態で維持される。この状態から、ラッチ４２を操作してラッチ受け３０ｂとの係合を解除して、捩じりバネの付勢力に抗してバッテリボックスカバー２４の先端を押し上げると、バッテリボックスカバー２４は開いた状態となる。図６に示すように、バッテリボックス３０の開口の周縁には、樹脂製のシール部材４４が設けられている。このため、バッテリボックスカバー２４を閉じて、ラッチ４２をラッチ受け３０ｂに係合させた状態では、バッテリボックス３０とバッテリボックスカバー２４の間の隙間がシール部材４４によってシールされるため、バッテリボックス３０の内部に水が流入することを防止することができる。
【００２３】
図７に示すように、バッテリボックス３０の後方には、バッテリボックス３０の内部から本体ハウジング２８の内部へ配線を通すための貫通孔３０ｃが設けられている。バッテリ取付部４０ａ、４０ｂから伸びる配線は、貫通孔３０ｃを介して、本体ハウジング２８の内部に引き込まれる。貫通孔３０ｃの本体ハウジング２８側には、スポンジ４６が設けられている。図８に示すように、スポンジ４６には、配線を挟持可能な切り込み４６ａが形成されている。スポンジ４６にはメルトーム加工が施されており、スポンジ４６を介した水の流通は阻害されるものの、スポンジ４６を介した空気の流通は許容される。貫通孔３０ｃにスポンジ４６が設けられていることで、貫通孔３０ｃを介して本体ハウジング２８の内部からバッテリボックス３０の内部に水が流入したり、貫通孔３０ｃを介してバッテリボックス３０の内部から本体ハウジング２８の内部に水が流入することを防止することができる。
【００２４】
図７に示すように、バッテリボックス３０の最下部には、水抜き孔３０ｄが設けられている。これによって、仮にバッテリボックス３０の内部に水が流入した場合でも、バッテリボックス３０の内部の水を、水抜き孔３０ｄを介して本体ハウジング２８の内部へ排出することができる。なお、水抜き孔３０ｄはバッテリボックス３０の最下部に設けられているので、水抜き孔３０ｄを介してバッテリボックス３０の内部に水が流入することはない。バッテリボックス３０では、シール部材４４とスポンジ４６によって、バッテリボックス３０の内部への水の流入を防止する防水構造が形成されている。
【００２５】
図２−図４に示すように、本体ハウジング２８の後方上方には、上方に向けて突出する支持台２８ａが形成されている。トップハンドル３２は、支持台２８ａの前方上方と、バッテリボックス３０の後方上方を連結するように設けられている。トップハンドル３２は略円筒形状を有している。ユーザはトップハンドル３２を把持することで、高圧洗浄機２を持ち上げて運搬することができる。支持台２８ａの上面には、出水継手３６からの洗浄水の吐出流量を調整するための調整ダイヤル４８が設けられている。トップハンドル３２の前端近傍の上面には、ユーザに高圧洗浄機２の状態を表示するとともに、ユーザからの操作入力を受け入れるための操作表示板５０が設けられている。
【００２６】
アクセサリボックス２６は、本体ハウジング２８の右面に取り付けられている。アクセサリボックス２６の右側の外面は、バッテリボックス３０の右側の外面と略面一となっている。アクセサリボックス２６は、上方が開口した箱型形状を形成している。高圧洗浄機２を使用していない時には、トリガガン１６、ノズル１８、耐圧ホース１２、高圧ホース１４等の付属品を、アクセサリボックス２６に入れておくことができる。この状態で、ユーザがトップハンドル３２を把持して高圧洗浄機２を持ち上げることで、高圧洗浄機２を付属品とともに運搬することができる。
【００２７】
アクセサリボックス２６は、入水継手３４の近傍において、略円錐台状に窪んだ形状を有している。入水継手３４の先端は、アクセサリボックス２６の外面よりも右側に突出していない。従って、耐圧ホース１２を接続していない高圧洗浄機２が高所から落下して、高圧洗浄機２の右面が地面に衝突した場合でも、入水継手３４の先端が地面に衝突して損傷することを防止することができる。
【００２８】
本体ハウジング２８は、出水継手３６の近傍において、略台形柱状に窪んだ形状を有している。出水継手３６の先端は、バッテリボックス３０の外面と本体ハウジング２８の外面に接する平面よりも前側に突出していない。従って、高圧ホース１４を接続していない高圧洗浄機２が高所から落下して、高圧洗浄機２の前面が地面に衝突した場合でも、出水継手３６の先端が地面に衝突して損傷することを防止することができる。
【００２９】
図７に示すように、本体ハウジング２８の内部には、ＥＣＵ（Electronic Control Unit）５２、ダイヤル検出スイッチ５４、モータ５６、動力伝達機構５８、ポンプ機構６０等が収容されている。ＥＣＵ５２は、本体ハウジング２８の内部の上方中央に配置されている。ＥＣＵ５２は、ポンプ機構６０の上方であって、トップハンドル３２の下方に配置されている。バッテリ３８ａ、３８ｂをバッテリ取付部４０ａ、４０ｂに取り付けた状態では、ＥＣＵ５２は、下端がバッテリ３８ａ、３８ｂの下端よりも上方に位置し、上端がバッテリ３８ａ、３８ｂの上端よりも下方に位置するように、配置されている。ＥＣＵ５２は、高圧洗浄機２に搭載されている各種の電気部品の動作を制御する。ダイヤル検出スイッチ５４は、本体ハウジング２８の支持台２８ａの内部に配置されている。ダイヤル検出スイッチ５４は、調整ダイヤル４８の回転角度を検出する。操作表示板５０とダイヤル検出スイッチ５４は、それぞれ、図示しない配線を介して、ＥＣＵ５２に接続されている。また、ＥＣＵ５２は、貫通孔３０ｃを貫通する配線（図示せず）を介して、バッテリ取付部４０ａ、４０ｂと接続されている。さらに、ＥＣＵ５２は、図示しない配線を介して、モータ５６に接続されている。ＥＣＵ５２は、操作表示板５０やダイヤル検出スイッチ５４から入力される信号に基づいて、バッテリ３８ａ、３８ｂからモータ５６に供給される電力を制御することで、モータ５６の動作を制御する。
【００３０】
図９、図１０に示すように、モータ５６、動力伝達機構５８およびポンプ機構６０は、モータポンプユニット６２としてユニット化されている。
【００３１】
モータ５６は、例えばアウタロータ型のブラシレスＤＣモータである。図１１に示すように、モータ５６は、コイル６１が巻回されたステータ６４と、マグネット６６を備えるロータ６８と、ロータ６８に固定された出力シャフト７０と、出力シャフト７０に固定されたファン７２と、ステータ６４、ロータ６８およびファン７２を収容するモータハウジング７４を備えている。出力シャフト７０の後端は、ベアリング７５を介して、モータハウジング７４に回転可能に支持されている。出力シャフト７０の前端は、モータハウジング７４から前方に突出している。出力シャフト７０の前端には、ギヤ部７０ａが形成されている。
【００３２】
図１０に示すように、モータハウジング７４は、後面に形成された給気口７４ａと、ファン７２の近傍の周面に形成された排気口７４ｂと、後端近傍の右側面に形成された貫通孔７４ｃを備えている。コイル６１は、貫通孔７４ｃを貫通する配線（図示せず）を介して、ＥＣＵ５２に接続されている。ＥＣＵ５２は、スイッチング素子（図示せず）を備えており、スイッチング素子の導通および非導通を切り替えてコイル６１に印加される電圧を制御することで、モータ５６の動作を制御する。モータ５６が出力シャフト７０を回転させると、ファン７２の回転によって、給気口７４ａを介してモータハウジング７４の内部に空気が流入する。給気口７４ａから流入した空気は、ステータ６４とロータ６８の間の空間を通過した後、ファン７２の外周側に位置する排気口７４ｂを介してモータハウジング７４の外部に流出する。
【００３３】
図１１に示すように、動力伝達機構５８は、駆動シャフト７８に固定されたスパーギヤ７６と、スパーギヤ７６および出力シャフト７０のギヤ部７０ａを収容するギヤハウジング８０を備えている。ギヤハウジング８０は、モータハウジング７４の前部に固定されている。出力シャフト７０の前端は、ベアリング８１を介してギヤハウジング８０に回転可能に支持されている。スパーギヤ７６は、出力シャフト７０のギヤ部７０ａと噛み合うように配置されている。駆動シャフト７８の後端は、ベアリング８３を介してギヤハウジング８０に回転可能に支持されている。駆動シャフト７８は、出力シャフト７０に対して略平行に配置されている。駆動シャフト７８は、出力シャフト７０に対して、下方に所定量オフセットした位置に配置されている。出力シャフト７０の回転は、動力伝達機構５８において所定の減速比で減速されて、駆動シャフト７８に伝達する。
【００３４】
図１２に示すように、ポンプ機構６０は、駆動シャフト７８と、ワッブルプレート８２と、複数のピストン８４と、複数のピストン８４それぞれに対応する複数の吸入バルブ８６および複数の吐出バルブ８８と、スプリングリテーナ９０と、プレッシャピン９２と、検出スイッチ９４と、リリーフバルブ９６と、ポンプハウジング９８と、ピストンシリンダ１００と、ピストンハウジング１０２と、ポンプヘッド１０４と、バルブホルダ１０６と、アジャストホルダ１０８を備えている。
【００３５】
ワッブルプレート８２は、ポンプハウジング９８に収容されている。ワッブルプレート８２は、駆動シャフト７８の前端に固定されている。駆動シャフト７８は、ベアリング１１０を介してポンプハウジング９８に回転可能に支持されている。ワッブルプレート８２の前面は、駆動シャフト７８の回転軸に対して傾斜している。複数のピストン８４は、それぞれ、後端がワッブルプレート８２の前面に当接している。複数のピストン８４は、それぞれ、前後方向に摺動可能に、ピストンシリンダ１００に支持されている。ピストンシリンダ１００は、ポンプハウジング９８の前部に固定されている。複数のピストン８４は、それぞれ、対応するバネ１１２によって、後方に向けて付勢されている。複数のピストン８４は、ワッブルプレート８２の回転に伴って、前後方向に摺動する。
【００３６】
ピストンハウジング１０２は、ピストンシリンダ１００の前部に固定されている。ピストンハウジング１０２には、吸入室１０２ａと、吐出室１０２ｂと、複数のピストン８４それぞれに対応する複数のピストン室１０２ｃが形成されている。複数のピストン室１０２ｃのそれぞれには、対応する複数の吸入バルブ８６と、複数の吐出バルブ８８がそれぞれ設けられている。複数のピストン室１０２ｃのそれぞれは、対応する吸入バルブ８６を介して吸入室１０２ａに連通しているとともに、対応する吐出バルブ８８を介して吐出室１０２ｂに連通している。複数のピストン室１０２ｃのそれぞれの後部は、対応するピストン８４の前面によって閉塞されている。複数の吸入バルブ８６のそれぞれは逆止弁であって、ピストン８４が後退する時に、吸入室１０２ａからピストン室１０２ｃに洗浄水を吸入するとともに、ピストン８４が前進する時に、ピストン室１０２ｃから吸入室１０２ａに洗浄水が流出することを禁止する。複数の吐出バルブ８８のそれぞれは逆止弁であって、ピストン８４が前進する時に、ピストン室１０２ｃから吐出室１０２ｂに洗浄水を吐出するとともに、ピストン８４が後退する時に、吐出室１０２ｂからピストン室１０２ｃに洗浄水が流入することを禁止する。
【００３７】
ポンプヘッド１０４は、ピストンハウジング１０２の前部に固定されている。ポンプヘッド１０４には、入水継手３４が接続される入水室１０４ａと、出水継手３６が接続される出水室１０４ｂと、圧力検出室１０４ｃが形成されている。入水室１０４ａは、ピストンハウジング１０２の吸入室１０２ａと連通している。出水室１０４ｂは、ピストンハウジング１０２の吐出室１０２ｂと連通している。出水室１０４ｂには、バルブホルダ１０６と、アジャストホルダ１０８が設けられている。バルブホルダ１０６は、複数の吐出バルブ８８を保持している。バルブホルダ１０６とアジャストホルダ１０８の間には、スプリングリテーナ９０が設けられている。スプリングリテーナ９０は、出水室１０４ｂの圧力が吐出室１０２ｂの圧力よりも低い場合に、吐出室１０２ｂから出水室１０４ｂに洗浄水が流れることを許容し、出水室１０４ｂの圧力が吐出室１０２ｂの圧力よりも高い場合に、吐出室１０２ｂから出水室１０４ｂに洗浄水が流れることを禁止する。
【００３８】
入水室１０４ａと出水室１０４ｂは、リリーフ経路１０４ｄを介して連通している。入水室１０４ａには、リリーフバルブ９６が設けられている。リリーフバルブ９６は、入水室１０４ａの圧力が出水室１０４ｂの圧力よりも高い場合に、リリーフ経路１０４ｄを遮断し、入水室１０４ａの圧力が出水室１０４ｂの圧力よりも低い場合に、リリーフ経路１０４ｄを開放する。リリーフ経路１０４ｄが開放されると、出水室１０４ｂの圧力は入水室１０４ａの圧力まで減圧される。
【００３９】
圧力検出室１０４ｃには、プレッシャピン９２が設けられている。圧力検出室１０４ｃは、プレッシャピン９２によって、前方側の空間と、後方側の空間に区画されている。プレッシャピン９２は、前後方向に摺動可能にポンプヘッド１０４に支持されている。また、プレッシャピン９２は、バネ１１４によって前方に向けて付勢されている。プレッシャピン９２の後方には、検出スイッチ９４が配置されている。検出スイッチ９４は、図示しない配線を介してＥＣＵ５２に接続されている。圧力検出室１０４ｃのプレッシャピン９２より前方側の空間は、第１圧力検出経路１０４ｅを介して、出水室１０４ｂのアジャストホルダ１０８より下流側の空間と連通している。圧力検出室１０４ｃのプレッシャピン９２より後方側の空間は、第２圧力検出経路１０４ｆを介して、出水室１０４ｂのアジャストホルダ１０８より上流側の空間と連通している。
【００４０】
高圧洗浄機２において、ポンプ機構６０が洗浄水を吐出している時に、トリガガン１６が、ノズル１８へ洗浄水を供給する状態から、ノズル１８への洗浄水の供給を遮断する状態に切り替わると、出水室１０４ｂの圧力が急激に上昇する。この場合、スプリングリテーナ９０が吐出室１０２ｂから出水室１０４ｂに洗浄水が流れることを禁止するとともに、プレッシャピン９２が後方に移動し、検出スイッチ９４に当接する。ＥＣＵ５２は、検出スイッチ９４の検出信号から、トリガガン１６が、ノズル１８へ洗浄水を供給する状態から、ノズル１８への洗浄水の供給を遮断する状態に切り替わったことを認識して、モータ５６を停止する。また、出水室１０４ｂの圧力が上昇したことで、リリーフバルブ９６が開いてリリーフ経路１０４ｄが開放されて、出水室１０４ｂの圧力は入水室１０４ａの圧力まで減圧される。
【００４１】
図９、図１０に示すように、モータハウジング７４は、左側の側面から左方向に突出する略円筒形状の左側支持部７４ｄと、右側の側面から右方向に突出する略円筒形状の右側支持部７４ｅを備えている。左側支持部７４ｄは、左側支持部７４ｄの外周側を囲む略円筒形状の防振ゴム１１６を介して、左側ハウジング２０に支持されている。右側支持部７４ｅは、右側支持部７４ｅの外周側を囲む略円筒形状の防振ゴム１１８を介して、右側ハウジング２２に支持されている。ポンプヘッド１０４は、左側の側面から左方向に突出する略円筒形状の左側支持部１０４ｇを備えている。また、ポンプヘッド１０４の入水室１０４ａの近傍には、略円筒形状の右側支持部１０４ｈが形成されている。左側支持部１０４ｇは、左側支持部１０４ｇの外周側を囲む略円筒形状の防振ゴム１２０を介して、左側ハウジング２０に支持されている。右側支持部１０４ｈは、右側支持部１０４ｈの外周側を囲む略円筒形状の防振ゴム１２２を介して、右側ハウジング２２に支持されている。出水継手３６は、出水継手３６の外周側を囲む略円筒形状の防振ゴム１２４を介して、左側ハウジング２０および右側ハウジング２２に支持されている。
【００４２】
図７に示すように、本体ハウジング２８の内部は、左側ハウジング２０および右側ハウジング２２に形成された隔壁２８ｂによって、ポンプ収容室２８ｃと、ポンプ収容室２８ｃの前方上方に配置された給気室２８ｄと、ポンプ収容室２８ｃの上方に配置されたＥＣＵ収容室２８ｅと、ポンプ収容室２８ｃおよびＥＣＵ収容室２８ｅの後方に配置されたモータ収容室２８ｆと、支持台２８ａの内部のスイッチ収容室２８ｇに区画されている。給気室２８ｄは、右側ハウジング２２の右面の前方下方に形成された給気孔２８ｈ（図５参照）を介して本体ハウジング２８の外部に連通している。また、給気室２８ｄは、水抜き孔３０ｄを介してバッテリ収容室３１の下部に連通している。バッテリ収容室３１の後部は、貫通孔３０ｃを介してＥＣＵ収容室２８ｅの前部に連通している。ＥＣＵ収容室２８ｅの後方下部は、モータ収容室２８ｆの前方上部と連通している。ポンプ収容室２８ｃとモータ収容室２８ｆの間の隔壁２８ｂには、モータ５６が貫通する貫通孔２８ｉが形成されている。モータポンプユニット６２を本体ハウジング２８に取り付けた時の、モータ５６と隔壁２８ｂの間の貫通孔２８ｉの隙間は、モータハウジング７４の外周面に設けられた略円環状のスポンジ１２６によって閉塞される。モータポンプユニット６２を本体ハウジング２８に取り付けた状態では、モータ５６のステータ６４、ロータ６８はモータ収容室２８ｆに配置されており、ファン７２、動力伝達機構５８、ポンプ機構６０はポンプ収容室２８ｃに配置されている。この場合、モータハウジング７４の給気口７４ａは、モータ収容室２８ｆに配置され、モータハウジング７４の排気口７４ｂは、ポンプ収容室２８ｃに配置される。ポンプ収容室２８ｃの下面の中央には、ポンプ収容室２８ｃから本体ハウジング２８の外部へ水や空気を排出するための排出孔２８ｊが形成されている。
【００４３】
高圧洗浄機２において、モータ５６が駆動すると、ファン７２の回転によって、本体ハウジング２８の外部から給気孔２８ｈを介して給気室２８ｄに空気が流入する。給気室２８ｄに流入した空気は、バッテリ収容室３１を通過した後、ＥＣＵ収容室２８ｅを通過して、モータ収容室２８ｆに流入する。モータ収容室２８ｆに流入した空気は、給気口７４ａを介してモータハウジング７４の内部に流入し、モータハウジング７４の内部を後方から前方に向けて流れ、排気口７４ｂを介してポンプ収容室２８ｃに流入する。ポンプ収容室２８ｃに流入した空気は、排出孔２８ｊを介して本体ハウジング２８の外部に排出される。この空気の流れによって、バッテリボックス３０の内部のバッテリ３８ａ、３８ｂが冷却されるとともに、本体ハウジング２８の内部の、ＥＣＵ５２、モータ５６、ポンプ機構６０等が冷却される。
【００４４】
バッテリボックス３０の水抜き孔３０ｄは、給気室２８ｄに連通している。このため、バッテリボックス３０から水抜き孔３０ｄを介して本体ハウジング２８の内部に流入した水は、ＥＣＵ収容室２８ｅ、モータ収容室２８ｆ、スイッチ収容室２８ｇ等に流入することがない。
【００４５】
以上のように、１つまたはそれ以上の実施形態において、高圧洗浄機２（作業機の例）は、バッテリ３８ａ，３８ｂと、バッテリ３８ａ，３８ｂから供給される電力によって動作するモータ５６と、モータ５６によって回転するファン７２と、バッテリ３８ａ，３８ｂ、モータ５６およびファン７２を収容するハウジング２７を備えている。ハウジング２７は、バッテリ３８ａ，３８ｂを収容するバッテリ収容室３１（バッテリ収容部の例）と、モータ５６を収容するモータ収容室２８ｆ（モータ収容部の例）に区画されている。ファン７２の回転による冷却風は、バッテリ収容室３１を流れる。
【００４６】
上記の構成によれば、ファン７２の回転による冷却風を利用して、バッテリ収容室３１に収容されたバッテリ３８ａ，３８ｂを冷却することができる。
【００４７】
１つまたはそれ以上の実施形態において、冷却風は、モータ収容室２８ｆにも流れる。
【００４８】
上記の構成によれば、ファン７２の回転による冷却風を利用して、バッテリ収容室３１に収容されているバッテリ３８ａ，３８ｂを冷却するとともに、モータ収容室２８ｆに収容されているモータ５６を冷却することができる。
【００４９】
１つまたはそれ以上の実施形態において、高圧洗浄機２は、ユーザが持ち運ぶことが可能である。
【００５０】
上記の構成によれば、ユーザによる持ち運びが可能な高圧洗浄機２において、ファン７２の回転による冷却風を利用して、バッテリ収容室３１に収容されたバッテリ３８ａ，３８ｂを冷却することができる。
【００５１】
１つまたはそれ以上の実施形態において、バッテリ収容室３１は、水の流入を防止するシール部材４４およびスポンジ４６（防水構造の例）を有している。
【００５２】
上記の構成によれば、バッテリ３８ａ，３８ｂが水に濡れてしまうことを防止しつつ、冷却風によってバッテリ３８ａ，３８ｂを冷却することができる。
【００５３】
１つまたはそれ以上の実施形態において、高圧洗浄機２は、入水口３４ａと、出水口３６ａと、モータ５６によって駆動され、入水口３４ａに供給される水を加圧して出水口３６ａから送り出すポンプ機構６０（ポンプの例）をさらに備えている。
【００５４】
上記の構成によれば、高圧洗浄機２において、バッテリ３８ａ，３８ｂが水に濡れてしまうことを防止しつつ、冷却風によってバッテリ３８ａ，３８ｂを冷却することができる。
【００５５】
なお、上記の実施例では、ファン７２の回転による冷却風が、ハウジング２７の外部から、給気室２８ｄ、バッテリ収容室３１、ＥＣＵ収容室２８ｅ、モータ収容室２８ｆ、ポンプ収容室２８ｃを順に通過した後、ハウジング２７の外部に流出する構成について説明した。これとは異なり、ファン７２の回転による冷却風が、ハウジング２７の外部から、バッテリ収容室３１に直接流入する構成としてもよい。あるいは、本体ハウジング２８の内部の配置を変更して、ファン７２の回転による冷却風が、本体ハウジング２８の内部からバッテリ収容室３１へ流入し、バッテリ収容室３１からハウジング２７の外部へ流出する構成としてもよい。
【００５６】
上記の実施例では、作業機が高圧洗浄機２である場合について説明したが、作業機はチェーンソーやパワーカッター等の、他の作業機であってもよい。
【００５７】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００５８】
２        ：高圧洗浄機
１０      ：給水源
１２      ：耐圧ホース
１４      ：高圧ホース
１６      ：トリガガン
１８      ：ノズル
２０      ：左側ハウジング
２２      ：右側ハウジング
２４      ：バッテリボックスカバー
２６      ：アクセサリボックス
２７      ：ハウジング
２８      ：本体ハウジング
２８ａ    ：支持台
２８ｂ    ：隔壁
２８ｃ    ：ポンプ収容室
２８ｄ    ：給気室
２８ｅ    ：ＥＣＵ収容室
２８ｆ    ：モータ収容室
２８ｇ    ：スイッチ収容室
２８ｈ    ：給気孔
２８ｉ    ：貫通孔
２８ｊ    ：排出孔
３０      ：バッテリボックス
３０ａ    ：回動軸
３０ｂ    ：ラッチ受け
３０ｃ    ：貫通孔
３０ｄ    ：水抜き孔
３１      ：バッテリ収容室
３２      ：トップハンドル
３４      ：入水継手
３４ａ    ：入水口
３６      ：出水継手
３６ａ    ：出水口
３８ａ    ：バッテリ
３８ｂ    ：バッテリ
４０ａ    ：バッテリ取付部
４０ｂ    ：バッテリ取付部
４２      ：ラッチ
４４      ：シール部材
４６      ：スポンジ
４６ａ    ：切り込み
４８      ：調整ダイヤル
５０      ：操作表示板
５２      ：ＥＣＵ
５４      ：ダイヤル検出スイッチ
５６      ：電動モータ
５８      ：動力伝達機構
６０      ：ポンプ機構
６１      ：コイル
６２      ：モータポンプユニット
６４      ：ステータ
６６      ：マグネット
６８      ：ロータ
７０      ：出力シャフト
７０ａ    ：ギヤ部
７２      ：ファン
７４      ：モータハウジング
７４ａ    ：給気口
７４ｂ    ：排気口
７４ｃ    ：貫通孔
７４ｄ    ：左側支持部
７４ｅ    ：右側支持部
７５      ：ベアリング
７６      ：スパーギヤ
７８      ：駆動シャフト
８０      ：ギヤハウジング
８１      ：ベアリング
８２      ：ワッブルプレート
８３      ：ベアリング
８４      ：ピストン
８６      ：吸入バルブ
８８      ：吐出バルブ
９０      ：スプリングリテーナ
９２      ：プレッシャピン
９４      ：検出スイッチ
９６      ：リリーフバルブ
９８      ：ポンプハウジング
１００    ：ピストンシリンダ
１０２    ：ピストンハウジング
１０２ａ  ：吸入室
１０２ｂ  ：吐出室
１０２ｃ  ：ピストン室
１０４    ：ポンプヘッド
１０４ａ  ：入水室
１０４ｂ  ：出水室
１０４ｃ  ：圧力検出室
１０４ｄ  ：リリーフ経路
１０４ｅ  ：第１圧力検出経路
１０４ｆ  ：第２圧力検出経路
１０４ｇ  ：左側支持部
１０４ｈ  ：右側支持部
１０６    ：バルブホルダ
１０８    ：アジャストホルダ
１１０    ：ベアリング
１１２    ：バネ
１１４    ：バネ
１１６    ：防振ゴム
１１８    ：防振ゴム
１２０    ：防振ゴム
１２２    ：防振ゴム
１２４    ：防振ゴム
１２６    ：スポンジ
【図１】
2020142169.tif 000003
【図２】
2020142169.tif 000004
【図３】
2020142169.tif 000005
【図４】
2020142169.tif 000006
【図５】
2020142169.tif 000007
【図６】
2020142169.tif 000008
【図７】
2020142169.tif 000009
【図８】
2020142169.tif 000010
【図９】
2020142169.tif 000011
【図１０】
2020142169.tif 000012
【図１１】
2020142169.tif 000013
【図１２】
2020142169.tif 000014